(57)【要約】【課題】２つの異なる時間情報を指し示すために２つの位置間で移動可能な時間表示針を含む時計を提供すること。【解決手段】時計ムーブメントを有し、第１の位置にあるときに第１の時間情報を、第２の位置にあるときに第２の時間情報を指し示すことができる時間表示針と、第１の時間指示可動部と、第２の時間指示可動部とを備える時計であって、時計ムーブメントが、第１の時間指示可動部（９）に固定され、時間表示針をその第１の位置にシフトさせるように成形された第１のカム（７）と、時間表示針に固定され、時間表示針を第２の位置にシフトさせるように成形された第２のカム（８）とを含む、時計。【選択図】図７
2011257398.tif 000002
【特許請求の範囲】
【請求項１】
時計ムーブメントを有し、第１の位置にあるときに第１の時間情報を、第２の位置にあるときに第２の時間情報を指し示すことができる時間表示針（２、３）と、前記第１および前記第２の時間指示をそれぞれ表示するための２つの同心の固定された目盛り（４、５）と、同心に配置され、２つの異なる周期性で駆動されるように前記時計ムーブメントに連結された第１の時間指示可動部（９）および第２の時間指示可動部（１１）とを備える時計であって、前記時計ムーブメントが、前記第１の時間指示可動部（９）に固定され、前記時間表示針（２、３）をその第１の位置にシフトさせるように成形された第１のカム（７）と、前記第１のカム（７）と同軸であり、前記時間表示針（２、３）に固定され、前記第１のカム（７）に対して回転可能であり、かつ前記時間表示針（２、３）を前記第２の位置にシフトさせるように成形された第２のカム（８）と、前記第２の時間指示可動部（１１）上に枢動式に装着されたレバー（２０）と、前記時間指示針（２、３）を前記第２の位置にシフトさせるために前記レバー（２０）を前記第２のカム（８）に係合させるための操作手段と、前記レバー（２０）が前記第２のカム（８）と係合しなくなるとすぐに、前記時間表示針（２、３）を前記第１の位置に戻すために前記第１のカム（７）に係合された弾性の戻り手段とを含むことを特徴とする、時計。
【請求項２】
前記弾性の戻り手段が、前記第２のカム（８）が締結され、前記第１のカム（７）に対して回転可能である、回転可能な可動部（１２）を含むことを特徴とする、請求項１に記載の時計。
【請求項３】
前記弾性の戻り手段が、前記第１のカム（７）上で移動する圧力ローラ（１７）と、前記時間表示針（２、３）を前記第１の位置に配置するために前記圧力ローラ（１７）を前記第１のカム（７）のくぼみ（７ａ）内に戻すための弾性手段とを含み、これらすべての手段は、前記回転可能な可動部（１２）の、前記第２のカム（８）が締結された面と反対の面上に固定されていることを特徴とする、請求項２に記載の時計。
【請求項４】
前記回転可能な可動部（１２）が、前記時間表示針（２、３）が締結された第２のチューブ（１６）に固定され、前記第１のカム（７）が、前記第２のチューブ（１６）の内側に嵌合された第１のチューブ（１０）に固定されることを特徴とする、請求項２または３に記載の時計。
【請求項５】
前記レバー（２０）が、前記第２のカム（８）を圧迫することが意図された第１のほぼ曲線状の端部（２１）と、指形状の第２の端部（２２）とを有し、前記レバー（２０）を操作するための手段が、前記第２の時間指示可動部（１１）の周りで枢動し、その内側周囲に歯（２５）を有する伝えリング（２４）であって、前記歯（２５）が、前記レバー（２０）の前記第２の端部（２２）と１つの歯（２５）の間の相互作用によって、前記レバー（２０）を前記第２の時間指示可動部（１１）に対して枢動させることができるように配置されている、伝えリング（２４）を含むことを特徴とする、請求項１から４のいずれか一項に記載の時計。
【請求項６】
前記操作手段が、ロッカ（２９）と、前記伝えリング（２４）が締結された伝え歯車（２３）と、前記ロッカ（２９）によって回転させられ、前記伝え歯車（２３）と係合する駆動歯車（３０）とを含むことを特徴とする、請求項１から５のいずれか一項に記載の時計。
【請求項７】
前記時間表示針（２、３）が、前記分針（３）であり、前記第１の位置が、分を指示し、前記第２の位置が、日付を指示し、前記第１の時間指示可動部（９）が、かなであり、前記第２の時間指示可動部（１１）が、３１個の歯を備える星形状の日回し車であることを特徴とする、請求項１から６のいずれか一項に記載の時計。
【請求項８】
前記時計ムーブメントが、１日につき１回転を完了し、前記第２の時間指示可動部（１１）の駆動指（４１）をその中心に有する歯車（３９）を含み、前記駆動指（４１）が、この部分を、毎日１インターバルで枢動させることを特徴とする、請求項７に記載の時計。
【請求項９】
歯車（３３）が、前記伝え歯車（２３）と係合し、ジャンパーばね（３４）を前記第２の時間指示可動部（１１）に対して係止するように配置された突出部（３２）を含むことを特徴とする、請求項６から８のいずれか一項に記載の時計。
【請求項１０】
前記時計が、腕時計（１）であることを特徴とする、請求項１から９のいずれか一項に記載の時計。
【発明の詳細な説明】
【技術分野】
【０００１】
本発明は、２つの異なる時間情報を指し示すために２つの位置間で移動可能な時間表示針を含む時計に関する。
【背景技術】
【０００２】
このタイプの時計は、従来技術でよく知られている。
【０００３】
より詳細には、特許文献１が、時間表示針、たとえば分針が、現在時間およびストップウォッチ時間などの異なる２つの情報を、プッシュボタンの操作によって引き起こされた、現在時間を指し示すための位置と、ストップウォッチ時間を指し示す位置との間のその移動によって指し示すことができる切り替え機構を有する時計を説明している。
【０００４】
説明された切り替え機構は、表示されるべき第１の情報を示すために、時計ムーブメントの第１の可動部によって回転する伝えかなと、伝えかな上に遊休状態で（ｉｄｌｙ）装着され、表示されるべき第２の情報を示すためにムーブメントの第１の可動部または第２の可動部によって回転する第１のスプリットセコンドコアを有する要素とを含む。
【０００５】
切り替え機構はまた、伝えかなに締結された第２のスプリットセコンドコアと、伝えかな上に遊休状態で装着され、第１および第２のコアそれぞれに対して付勢された第１および第２のハンマを有する伝え車と、伝え車の周囲上に回転可能に装着され、表示される第１または第２の情報それぞれに従って伝え車の位置を変更する目的で、第１のハンマと第１のコアの間の接触および第２のハンマと第２のコアの間の接触それぞれを交互に分離するために第１および第２のハンマ上でそれぞれ作用する第１および第２のカムと、伝えかな上に緩く装着され、切り替え車と係合する中間駆動車であって、伝え機構の駆動機構を用いることによって制御された方法で回転することができる駆動車に締結された中間駆動車とを含む。
【０００６】
特許文献１で説明された切り替え機構は、数多くの部分を使用しそれらを配置するので複雑である。特に、これは、２つのハンマを備えた伝え車と、２つのカムを備えた切り替え車を必要とする。
【０００７】
分または日付を分針によって指し示すことができる時計用の別の切り替え機構が、特許文献２で説明されている。
【０００８】
この機構は、差動システムおよびリセットカムに固定された遊星ギアと共に作動し、差動システムは、角運動を分針に付与して日付を指し示すことができる。この機構は、複雑であり、差動装置の可動部間に置かれた遊星キャリアは、一定量の垂直空間を占有する。
【先行技術文献】
【特許文献】
【０００９】
【特許文献１】欧州特許第１９５９３１７号
【特許文献２】スイス特許第６９３１５５号
【発明の概要】
【発明が解決しようとする課題】
【００１０】
その結果、単一の時間表示針が２つの異なる情報を指し示すことができる時計において、既存の切り替え機構を取り換え、時計ムーブメントを簡易化する必要がある。
【００１１】
本発明の目的は、上記で述べた欠点を少なくとも部分的に克服することである。
【課題を解決するための手段】
【００１２】
この目的のため、本発明は、時計ムーブメントを有し、第１の位置にあるときに第１の時間情報を、第２の位置にあるときに第２の時間情報を指し示すことができる時間表示針と、第１および第２の時間指示をそれぞれ表示するための２つの同心の固定された目盛りと、同心に配置され、２つの異なる周期性で駆動されるように時計ムーブメントに連結された第１の時間指示可動部および第２の時間指示可動部とを備える時計について説明する。
【００１３】
時計ムーブメントは、第１の時間指示可動部に固定され、時間表示針をその第１の位置にシフトさせるように成形された第１のカムと、第１のカムと同軸であり、時間表示針に固定され、第１のカムに対して回転可能であり、かつ時間表示針を第２の位置にシフトさせるように成形された第２のカムと、第２の時間指示可動部上で枢動式に装着されたレバーと、時間表示針を第２の位置にシフトさせるために、レバーを第２のカムに係合させるための操作手段と、レバーが第２のカムと係合しなくなるとすぐに時間表示針を第１の位置に戻すために、第１のカムに係合された弾性の戻り手段とを含む点で、特有のものである。
【００１４】
好ましくは、弾性の戻り手段は、第２のカムが締結され、第１のカムに対して回転可能である、回転可能な可動部を含む。
【００１５】
また、好ましくは、弾性の戻り手段は、第１のカム上を移動する圧力ローラと、時間表示針を第１の位置に配置するために、圧力ローラを第１のカムのくぼみ内に戻すための弾性手段とを含み、これらすべての手段は、回転可能な可動部の、第２のカムが締結された面と反対の面上に締結されている。
【００１６】
好ましくは、回転可能な可動部は、時間表示針が締結された第２のチューブに固定され、第１のカムは、第２のチューブの内側に嵌合された第１のチューブに固定される。
【００１７】
レバーは、ほぼ曲線状であり、第２のカムを圧迫することが意図された第１の端部と、指形状の第２の端部とを有する。
【００１８】
レバーを操作するための手段は、第２の時間指示可動部の周りで枢動し、その内側周囲に歯を有する伝えリングであって、歯が、レバーの第２の端部と１つの歯の間の相互作用によって、レバーを第２の時間指示可動部に対して枢動させることができるように配置されている、伝えリングを含む。
【００１９】
添付の図は、この場合は腕時計である、本発明によって提案された時計の例示的な実施形態の概略図にすぎない。
【図面の簡単な説明】
【００２０】
【図１】表示部材、特に分針を示し、第１の位置を示す、腕時計の文字板の前面図である。
【図２】表示部材、特に分針を示し、ユーザがプッシュボタンを押した後に到達した第２の位置を示す、腕時計の文字板の前面図である。
【図３】表示部材、特に分針を示し、プッシュボタンが放された後に再度とられた第１の位置を示す、腕時計の文字板の前面図である。
【図４】第１のカムおよび第２のカムを連結および連結解除するために本発明によって使用される回転可能な可動部の上方から見た斜視図である。
【図５】第１のカムおよび第２のカムを連結および連結解除するために本発明によって使用される回転可能な可動部の下方から見た斜視図である。
【図６】第１の位置にある回転可能な可動部および２つのカムの平面図である。
【図７】第２の位置にある回転可能な可動部および２つのカムの平面図である。
【図８】分針が、図１に示した第１の位置を指し示す、本発明による時計ムーブメントの文字板側からの平面図である。
【図９】分針が、図２に示した第２の位置を指し示す、図８に類似する図である。
【図１０】本発明による時計ムーブメントのムーブメント側からの平面図である。
【発明を実施するための形態】
【００２１】
以下で説明する時計は、図１から３で示すように、腕時計１であり、この腕時計１は、時針２を用いることによって時間を指し示し、分針３を用いることによって分を指し示し、針は、第１の固定された時間表示目盛り４に対して読み取られる第１の位置に置かれている。
【００２２】
図４から１０を用いて説明された本発明による時計ムーブメントの特有の機構により、針のうちの１本は、図示する実施形態の場合には分針３であるが、腕時計１上の４時の位置に置かれたプッシュボタン６が押さえ付けられた後、この場合には日付を示す目盛りである第２の固定された時間表示目盛り５に対して読み取られる第２の位置に移動される。
【００２３】
本発明による時計ムーブメントは、図４から７に示し、分針３を第１の位置にシフトさせるように成形された第１のカム７と、図４から９に示し、分針３に固定され、第１のカム７と同軸であり、第１のカム７に対して回転可能であり、分針３を第２の位置にシフトさせるように成形された第２のカム８とを含む。
【００２４】
図４、５、および１０に示す第１の時間指示可動部９は、第１のカム７に固定され、図示する実施形態では動作作用とリンクした筒かなである。
【００２５】
筒かな９および第１のカム７は、「第１のチューブ」と呼ばれる単一のチューブ１０に固定される。
【００２６】
図８から１０に示す、第１の時間指示可動部９の周りに同軸に回転可能に位置する第２の時間指示可動部１１は、第２のカム８に対して自由に回転可能である。第２の時間指示可動部１１は、第１の時間指示可動部９のものとは異なる周期性で駆動されるように時計ムーブメントに連結される。本明細書において説明した実施形態では、第２の時間指示可動部１１は、日回し車である。
【００２７】
図４から７に示す回転可能な可動部１２は、第１のカム７および第２のカム８を連結および連結解除するために使用され得る。回転可能な可動部１２は、第２のカム８が締結された中央部１３と、３本のアーム１５によって中央部１３に連結された、リングなどの周辺部１４とを有する弾み車の形態をとる。
【００２８】
回転可能な可動部１２は、分針３が締結され、第１のチューブ１０が内側に嵌合された、「第２のチューブ」と呼ばれるチューブ１６に固定される。
【００２９】
弾性の戻り手段が、回転可能な可動部１２に、第２のカム８が締結された面と反対の面上に締結され、第１のカム７と係合する。弾性の戻り手段は、枢動アーム１８によって可動部１２のリング１４に連結された圧力ローラ１７を含む。圧力ローラ１７は、第１のカム７と逆に移動する。
【００３０】
リング１４上に位置する戻りばね１９は、枢動アーム１８上に作用し、圧力ローラ１７を、図６に示すように、第１のカム７のくぼみ７ａ内の圧力ローラ１７の配置に対応する平衡位置に戻すことを可能にする。したがって、回転可能な可動部１２は、第１のカム７に対して回転可能であるように装着される。
【００３１】
図６から１０に示すように、第２のカム８の駆動レバー２０が、分針３を第２の位置にシフトさせるために、第２のカム８と係合するように日回し車１１上に枢動式に装着される。駆動レバー２０は、日回し車１１上に配置されるので、第２のカム８に対して日回し車１１と共に移動する。
【００３２】
駆動レバー２０は、第２のカム８を第２の位置に移動させるために、第２のカム８を圧迫することが意図された第１のほぼ曲線状の端部２１と、指形状の第２の端部２２とを有する。
【００３３】
図８および９に示すように、レバー２０は、その第２の指形状の端部２２と操作手段の相互作用によって回転する。
【００３４】
レバー２０を操作するための手段は、伝え歯車２３と、日回し車１１の周りに同軸に回転可能に配置された伝えリング２４とを含み、伝え歯車２３は、伝えリング２４を担持している。
【００３５】
伝えリング２４の内側周囲は、レバー２０の第２の端部２２と相互作用する歯２５を有し、したがって、レバー２０が日回し車１１に対して枢動することを可能にする。
【００３６】
戻りリング２６は、レバー２０が歯２５によって移動されないとき、レバーを日回し車１１に対して固定された状態に保つために、レバー２０の中間部上に位置するピン２７上に作用する。
【００３７】
操作手段はまた、Ｌ字形状のロッカ２９も含み、このＬ字形状のロッカ２９は、駆動車のピン３１にロッカ２９の端部を押さえ付けることによって駆動車３０に機械的に連結されている。駆動車３０は、伝え歯車２３と係合する。
【００３８】
伝え歯車２３と係合する歯車３３と同軸であり、歯車３３に固定された突出部３２は、枢動し、日付に対する一連の要求において日回し車１１の意図されないあらゆる移動を防止するために、湾曲表面でジャンパーばね３４上を圧迫して、ジャンパーばね３４を日回し車１１の２つの歯の間に保持する。
【００３９】
戻りばね３５は、伝えリング２４、伝え歯車２３および駆動歯車３０が、プッシュボタン６が放された後、プッシュボタン６が押される前にとられていたそれぞれの位置に戻ることを可能にする。
【００４０】
図８、９、および１０に示すように、日回し車１１は、星の形状を与える３１個の均一に分散された歯を有する。日回し車１１は、第２のカム８に対して自由に回転可能であるが、かな９、つまり第１のカム７に機械的に連結されている。
【００４１】
図１０に示すように、日回し車１１は、かな９と、１日につき１回転を完了する第２の歯車３９と係合するかな３８をその中心に有する第１の中間歯車３７とに係合する戻りかな３６を備える可動部の組によって、かな９に連結される。
【００４２】
第２の歯車３９は、筒車４０と係合し、その中心に日回し車１１の駆動指４１を有する。駆動指４１は、日回し車１１を、１日につき１インターバルで、日回し車１１に締結されたレバー２０と共に文字板に対して回転させ、したがって新しい日付が毎日指示されることを可能にする。
【００４３】
上記で説明した時計機構の作動は、以下の通りである。
【００４４】
ユーザが日付を確認するためにプッシュボタン６を押すと、プッシュボタン６の移動がロッカ２９を駆動し、ロッカ２９は、ピン３１を用いることによって、駆動車３０、伝え車２３、およびレバー２０を駆動する歯２５を有する伝えリング２４を駆動する。
【００４５】
駆動レバー２０は次いで、図７および９に示すように、歯２５によって駆動されたその第２の端部２２の移動の結果、時計１の針の方向に枢動し、その第１の端部２１は、分針３に固定された第２のカム８と接触する。
【００４６】
第２のカム８は、次いで、レバー２０の枢動によって駆動される。第２のカム８および第２のチューブ１６に固定された回転可能な可動部１２は、第１のチューブ１０の周りで枢動する。回転可能な可動部１２の移動は、レバー２０が第２のカム８のくぼみ８ａ内に入るとすぐに停止し、この場合、分針３は、第２の時間指示に対応する第２の位置に位置する。
【００４７】
ユーザが、プッシュボタン６を放したとき、回転可能な可動部１２および第２のカム８は、弾性手段および圧力ローラ１７の作用下で戻され、これにより第２のチューブ１６および第２のカム８を、圧力ローラ１７が、分針３の第１の位置に対応する第１のカム７のくぼみ７ａ内に位置するまで、第１のチューブ１０周りで回転させる。
【００４８】
レバー２０は、次いで、第２のカム８と接触する第１の曲線状端部２１を用いることによって、時計１の針に対して反対方向に駆動される。レバー２０のピン２７は、戻りばね２６のフォーク内に係止される。
【００４９】
伝え車２３および伝えリング２４は、戻りばね３５によって時計１の針に対して反対方向に駆動され、駆動車３０の移動、ひいてはピン３１を用いることによるロッカ２９の移動を引き起こす。
【００５０】
この場合、第２のカム８および回転可能な可動部１２は、圧力ローラ１７を用いることによって第１のカム７、ひいてはかな９と共に駆動される。第２のチューブ１６によって第２のカム８に固定された分針３は、かな９の移動に追随し、第１の位置を指し示す。言い換えれば、第１のチューブ１０および第２のチューブ１６は一緒に枢動する。
【００５１】
したがって、弾性の戻り手段、特に回転可能な可動部１２および圧力ローラ１７は、プッシュボタン６が放されたときに第１のカム７に連結され、プッシュボタン６が押され、レバー２０が、第２のカム８と接触するときに第１のカム７から連結解除される。
【００５２】
回転可能な可動部１２、２つのカム７および８、第１のチューブ１０および第２のチューブ１６は、他の配置が可能である。この場合、必要な特徴は、第２のカム８が、レバー２０の作用無しに第１のカム７と共に枢動することができ、レバー２０の作用下で第１のカム７から独立して枢動することができることであり、このレバーは、日回し車１１上に装着され、時計の文字板に対して所与の頻度で１日１回移動されることである。
【００５３】
本発明を、任意の時間指示、たとえば日付の指示の代替策としてパワーリザーブ表示に適用することができ、任意の時間表示針、たとえば分針３の代替策として時針２に適用することができる。
【００５４】
変形形態では、日回し車１１を永久日付機構に連結することも可能である。
【符号の説明】
【００５５】
１  腕時計
２  時針
３  分針
４  第１の時間表示目盛り
５  第２の時間表示目盛り
６  プッシュボタン
７  第１のカム
７ａ  第１のカムのくぼみ
８  第２のカム
８ａ  第２のカムのくぼみ
９  第１の時間指示可動部
１０  第１のチューブ
１１  第２の時間指示可動部
１２  回転可能な可動部
１３  中央部
１４  リング
１５  アーム
１６  第２のチューブ
１７  圧力ローラ
１８  枢動アーム
１９  戻りばね
２０  駆動レバー
２１  駆動レバーの第１のほぼ曲線状の端部
２２  駆動レバーの指形状の第２の端部
２３  伝え歯車
２４  伝えリング
２５  歯
２６  戻りばね
２７  ピン
２９  ロッカ
３０  駆動車
３１  駆動車のピン
３２  突出部
３３  歯車
３４  ジャンパーばね
３５  戻りばね
３６  戻りかな
３７  第１の中間歯車
３８  かな
３９  第２の歯車
４０  筒車
４１  駆動指
【図１】
2011257398.tif 000003
【図２】
2011257398.tif 000004
【図３】
2011257398.tif 000005
【図４】
2011257398.tif 000006
【図５】
2011257398.tif 000007
【図６】
2011257398.tif 000008
【図７】
2011257398.tif 000009
【図８】
2011257398.tif 000010
【図９】
2011257398.tif 000011
【図１０】
2011257398.tif 000012